(57)【要約】【課題】光変調信号の品質の劣化を抑制するように光変調器を駆動する。【解決手段】光送信器は、光源が発する光をデータに応じて変調することで光変調信号を出力する光変調器と、データを光変調器に対して出力する駆動部と、光変調信号及びデータの少なくとも一方の信号強度を検出する検出部と、検出部における検出結果に基づいて、データの信号パラメータを調整する調整部とを備える。【選択図】図２
2012080322.tif 000002
【特許請求の範囲】
【請求項１】
光源が発する光をデータに応じて変調することで光変調信号を出力する光変調器と、
前記データを前記光変調器に対して出力する駆動部と、
前記光変調器から出力される前記光変調信号及び前記駆動部から出力される前記データの少なくとも一方の信号強度を検出する検出部と、
前記検出部における検出結果に基づいて、前記データの信号パラメータを調整する調整部と
を備えることを特徴とする光送信器。
【請求項２】
前記検出部は、前記光変調信号のうち当該光送信器が実現するビットレートに対応する周波数成分の信号強度を検出することを特徴とする請求項１に記載の光送信器。
【請求項３】
前記調整部は、前記信号強度が最大となるように、前記データの前記信号パラメータを調整することを特徴とする請求項２に記載の光送信器。
【請求項４】
前記光変調器は、ＤＰＳＫ（Differential Phase Shift Keying）変調方式を用いて、前記光を変調することを特徴とする請求項３に記載の光送信器。
【請求項５】
前記調整部は、前記信号強度が最小となるように、前記データの前記信号パラメータを調整することを特徴とする請求項２に記載の光送信器。
【請求項６】
前記光変調器は、ＮＲＺ（Non Return to Zero）変調方式を用いて、前記光を変調することを特徴とする請求項５に記載の光送信器。
【請求項７】
前記検出部は、前記データの信号強度を検出し、
前記調整部は、前記信号強度が所定値となるように前記データの前記信号パラメータを調整し、
前記所定値は、信号強度が所定閾値以上となる前記データの信号成分と信号強度が前記所定閾値未満となる前記データの信号成分との比率であるデューティー比が１００％となる場合の前記データの平均強度であることを特徴とする請求項１に記載の光送信器。
【請求項８】
前記検出部は、前記データの信号強度を検出し、
前記調整部は、前記信号強度が所定値となるように前記データの前記信号パラメータを調整し、
前記駆動部は、差動信号に基づいて差動型の前記データを生成する差動型の駆動器を含んでおり、
前記駆動部は、前記差動型のデータのうちの一方を前記光変調器に対して出力し、且つ、前記差動型のデータのうちの他方を前記検出部に対して出力することを特徴とする請求項１に記載の光送信器。
【請求項９】
前記検出部は、前記光変調信号の信号強度を検出し、
前記調整器は、前記平均信号強度が最大となるように、前記データの前記信号パラメータを調整することを特徴とする請求項１に記載の光送信器。
【請求項１０】
前記信号パラメータは、所定閾値以上となる前記データの信号成分と前記所定閾値未満となる前記データの信号成分との比率であるデューティー比を含むことを特徴とする請求項１から９のいずれか一項に記載の光送信器。
【請求項１１】
光源が発する光をデータに応じて変調することで光変調信号を出力する光変調器と、
前記データを前記光変調器に対して出力する駆動部と
を備える光送信器の制御方法であって、
前記光変調器から出力される前記光変調信号及び前記駆動部から出力される前記データの少なくとも一方を検出する検出工程と、
前記検出工程における検出結果に基づいて、前記データの信号パラメータを調整する調整工程と
を備えることを特徴とする制御方法。
【発明の詳細な説明】
【技術分野】
【０００１】
本発明は、例えば光を変調することで光変調信号を出力する光送信器及び光送信器を備える光伝送装置、並びに光送信器を制御する制御方法に関する。
【背景技術】
【０００２】
光通信の分野では、送信するべきデータに応じて光を変調することで光変調信号を出力する光送信器が用いられている。光変調信号を出力するために、光送信器は、光を発する光源や、光を変調する光変調器や、光変調信号を得るために光変調器を駆動するためのデータを供給する駆動ドライバ等を備えている。尚、このような光送信器は、例えば、複数の波長チャネルによるＷＤＭ（Wavelength Division Multiplex：波長分割多重）のための光伝送装置等に用いられる。例えば、ＷＤＭのための光伝送装置は、互いに異なる波長を有する光変調信号を出力する複数の光送信器と、これら光送信器から出力された光変調信号を波長分割多重してＷＤＭ信号光を出力する光マルチプレクサとを備えている。
【先行技術文献】
【特許文献】
【０００３】
【特許文献１】特開２００８−１４１７４２号公報
【発明の概要】
【発明が解決しようとする課題】
【０００４】
光変調器を駆動するためのデータの波形は、温度変化や経時変化によって変動してしまう。従って、データのデューティー比は、温度変化や経時変化によって変動してしまう。ここで、例えばＤＰＳＫ（Differential Phase Shift Keying）変調等の位相変調方式を光送信器が採用している場合には、デューティー比の変動に伴って光変調信号のジッタが劣化してしまいかねない。その結果、ＯＳＮＲ（Optical Signal to Noise Ratio）が劣化してしまいかねない。
【０００５】
本発明が解決しようとする課題には上記のようなものが一例として挙げられる。本発明は、例えば光変調信号の品質の劣化を抑制するように光変調器を駆動することが可能な光送信器及び光伝送装置、並びに光送信器の制御方法を提供することを目的とする。
【課題を解決するための手段】
【０００６】
上記課題は、光変調器と、駆動部と、検出部と、調整部とを備える光送信器によって解決される。光変調器は、駆動部から出力されるデータに応じて、光源が発する光を変調する。その結果、光変調器は、光変調信号を出力する。駆動部は、光変調器を駆動させるためのデータを光変調器に対して出力する。検出部は、光変調器から出力される光変調信号及び駆動部から出力されるデータの少なくとも一方の信号強度を検出する。調整部は、検出部における検出結果（例えば、検出された信号強度）に基づいて、データの信号パラメータを調整する。
【０００７】
上記課題は、光送信器から出力される光信号を、光伝送路を介して対向装置に向けて伝送する光伝送装置によって解決される。
【０００８】
上記課題は、上述した光変調器及び上述した駆動部を備える光送信器の制御方法であって、検出工程と、調整工程とを備える制御方法によって解決される。検出工程では、上述した検出部が行う動作と同様の動作が行われる。調整工程では、上述した調整部が行う動作と同様の動作が行われる。
【発明の効果】
【０００９】
以上説明した光送信器及び光伝送装置、並びに光送信器の制御方法によれば、光変調信号の品質の劣化を抑制するように光変調器を駆動することができる。
【図面の簡単な説明】
【００１０】
【図１】本実施形態の光伝送システムの構成を示すブロック図である。
【図２】第１実施形態の光送信器の構成を示すブロック図である。
【図３】第１実施形態の光送信器の動作の流れを示すフローチャートである。
【図４】ドライバ出力信号のデューティー比が１００％となる場合の、ドライバ出力信号及び光変調信号、当該光変調信号の電気スペクトル、並びに当該光変調信号を復調した場合の復調信号の夫々の波形を示すグラフである。
【図５】ドライバ出力信号のデューティー比が１００％未満となる場合の、ドライバ出力信号及び光変調信号、当該光変調信号の電気スペクトル、並びに当該光変調信号を復調した場合の復調信号の夫々の波形を示すグラフである。
【図６】ドライバ出力信号のデューティー比が１００％を超える場合の、ドライバ出力信号及び光変調信号、当該光変調信号の電気スペクトル、並びに当該光変調信号を復調した場合の復調信号の夫々の波形を示すグラフである。
【図７】第１実施形態の光送信器の第１変形例の構成を示すブロック図である。
【図８】第１実施形態の光送信器の第２変形例の構成を示すブロック図である。
【図９】第１実施形態の光送信器の第３変形例の構成を示すブロック図である。
【図１０】第２実施形態の光送信器の構成を示すブロック図である。
【図１１】第２実施形態の光送信器の動作の流れを示すフローチャートである。
【図１２】ドライバ出力信号のデューティー比が１００％となる場合の、ドライバ出力信号、光変調信号、並びに当該光変調信号の光スペクトル及び電気スペクトルの夫々の波形を示すグラフである。
【図１３】ドライバ出力信号のデューティー比が１００％未満となる場合の、ドライバ出力信号、光変調信号、並びに当該光変調信号の光スペクトル及び電気スペクトルの夫々の波形を示すグラフである。
【図１４】ドライバ出力信号のデューティー比が１００％を超える場合の、ドライバ出力信号、光変調信号、並びに当該光変調信号の光スペクトル及び電気スペクトルの夫々の波形を示すグラフである。
【図１５】第３実施形態の光送信器の構成を示すブロック図である。
【図１６】第３実施形態の光送信器の動作の流れを示すフローチャートである。
【図１７】第３実施形態の光送信器の第１変形例の構成を示すブロック図である。
【図１８】第３実施形態の光送信器の第２変形例の構成を示すブロック図である。
【図１９】第３実施形態の光送信器の第３変形例の構成を示すブロック図である。
【図２０】第３実施形態の光送信器の第４変形例の構成を示すブロック図である。
【図２１】第３実施形態の光送信器の第５変形例の構成を示すブロック図である。
【図２２】第４実施形態の光送信器の構成を示すブロック図である。
【図２３】第４実施形態の光送信器の動作の流れを示すフローチャートである。
【図２４】ドライバ出力信号のデューティー比が１００％となる場合の、ドライバ出力信号及び光変調信号の夫々の波形を示すグラフである。
【図２５】ドライバ出力信号のデューティー比が１００％未満となる場合の、ドライバ出力信号及び光変調信号の夫々の波形を示すグラフである。
【図２６】ドライバ出力信号のデューティー比が１００％を超える場合の、ドライバ出力信号及び光変調信号の夫々の波形を示すグラフである。
【図２７】第４実施形態の光送信器の第１変形例の構成を示すブロック図である。
【発明を実施するための形態】
【００１１】
以下、本発明を実施するための形態を、図面に基づいて説明する。
【００１２】
（１）光伝送システム
図１を参照して、本実施形態の光伝送システム１について説明する。図１は、本実施形態の光伝送システム１の構成の一例を示すブロック図である。
【００１３】
図１に示すように、光伝送システム１は、ＷＤＭ光信号を出力する光伝送装置１０と、光伝送装置１０から出力されたＷＤＭ光信号を伝送するための光ファイバ伝送路２０と、光ファイバ伝送路２０により伝送されたＷＤＭ光信号を受信する光伝送装置４０とを備えている。
【００１４】
光伝送装置１０は、複数の光送信器１１と、光マルチプレクサ（ＭＵＸ）１５とを備える。光送信器１１はそれぞれ光マルチプレクサ１５の複数の入力ポートに接続される。光マルチプレクサ１５の出力ポートは光ファイバ伝送路２０に接続される。光マルチプレクサ１５は、光送信器１１から供給された複数の光変調信号を波長分割多重してＷＤＭ光信号を出力する。
【００１５】
光ファイバ伝送路２０の途中には、光ファイバ伝送路２０におけるＷＤＭ光信号の減衰を補償するために、光中継器３０が設けられている。光中継器３０はＷＤＭ光信号を増幅するための光増幅器を有している。尚、光増幅器は、例えば、ＷＤＭ光信号を受信する光増幅媒体（例えば、希土類元素がドープされたドープファイバや、半導体チップ等）と、光増幅媒体がＷＤＭ光信号の帯域を含む利得帯域を提供するように光増幅媒体をポンピングするポンピング部とを備えている。
【００１６】
光伝送装置４０は、受信したＷＤＭ光信号を各チャネルの光変調信号に分離する光デマルチプレクサ（ＤＭＵＸ）４１と、分離された光変調信号を受信するための複数の光受信器４２とを備える。
【００１７】
尚、ＷＤＭ光信号を出力する光伝送装置１０に代えて、光送信器１１から出力される光変調信号を波長分割多重することなく出力する光伝送装置１０を用いてもよい。この場合、光伝送装置１０は、光マルチプレクサ１５を備えていなくともよいし、光送信器１１を複数備えていなくともよい。同様に、ＷＤＭ光信号を受信する光伝送装置４０に代えて、波長分割多重化されていない光変調信号を受信する光伝送装置４０を用いてもよい。この場合、光伝送装置４０は、光デマルチプレクサ４１を備えていなくともよいし、複数の光受信器４２を備えていなくともよい。
【００１８】
（２）第１実施形態の光送信器
図２から図６を参照して、第１実施形態の光送信器１１について順に説明する。
【００１９】
（２−１）第１実施形態の光送信器の構成
図２を参照して、第１実施形態の光送信器１１の構成について説明する。図２は、第１実施形態の光送信器１１の構成を示すブロック図である。
【００２０】
図２に示すように、光送信器１１は、光源１１０と、光変調器１１１と、変調器ドライバ１１２と、ＭＵＸ（Multiplexer）／プリコーダ１１３と、光分岐回路１１４と、ＯＥ（Optical / Electronic）変換器１１５と、信号成分検出器１１６と、強度検出器１１７と、制御部１１８とを備えている。
【００２１】
光源１１０は、所望の波長の光を出力する。光源１１０から出力される光は、光変調器１１１に入射する。尚、光源１１０の一例として、例えばチューナブルレーザダイオード素子があげられる。
【００２２】
光変調器１１１は、変調器ドライバ１１２から出力されるドライバ出力信号に基づいて、光源１１０から出力される光を変調する。第１実施形態では、光変調器１１１は、光の変調方式として、ＤＰＳＫ（Differential Phase Shift Keying）変調方式或いはその他の位相変調方式を採用することが好ましい。但し、光変調器１１１は、光の変調方式として、そのほかの任意の変調方式を採用してもよい。その結果、光変調器１１１は、変調した光を、光変調信号として出力する。
【００２３】
光変調器１１１の一例としては、例えば、一対のマッハツェンダ（Mach Zehnder：ＭＺ）型光導波路及び当該一対のマッハツェンダ型光導波路に対応する電極がニオブ酸リチウム（リチウムナイオベート：ＬＮ）等の電気光学効果を有する基板上に形成されたマッハツェンダ型光変調器があげられる。この場合、上述したドライバ出力信号が電極に印加されることで、マッハツェンダ型光導波路の一端から入射する光が変調される。尚、電極には、ドライバ出力信号に加えて、光変調器１１１の動作点を調整するためのバイアス電圧が印加されてもよい。その結果、マッハツェンダ型光導波路の他端から、変調された光（つまり、光変調信号）が出力される。
【００２４】
変調器ドライバ１１２は、ＭＵＸ／プリコーダ１１３から出力される変調信号に応じて、光変調器１１１を駆動させるための（つまり、光変調器１１１に光の変調を行わせるための）ドライバ出力信号を生成する。変調器ドライバ１１２は、生成したドライバ出力信号を、光変調器１１１に対して出力する。尚、変調器ドライバ１１２は、「駆動部」の一例である。
【００２５】
変調器ドライバ１１２は、制御部１１８と共に「調整部」の一例であるデューティー可変部１１２１を備えている。デューティー可変部１１２１は、制御部１１８の制御の下で、ドライバ出力信号のデューティー比を調整する。
【００２６】
ＭＵＸ／プリコーダ１１３は、光送信器１１の外部から供給される複数の低ビットレート（例えば、数百Ｍｂｐｓ）のデータ信号を多重化することで、高ビットレート（例えば、数十Ｇｂｐｓ）のデータ信号を生成する。加えて、ＭＵＸ／プリコーダ１１３は、高ビットレートのデータ信号に応じた変調信号を生成する。例えば、ＭＵＸ／プリコーダ１１３は、高ビットレートのデータ信号を用いて、１ビット前の符号と現在の符号との差情報が反映された符号化処理を行うことで、データ信号に対応した変調信号を生成する。ＭＵＸ／プリコーダ１１３は、生成した変調信号を、変調器１１２ドライバに対して出力する。
【００２７】
光分岐回路１１４は、光変調器１１１から出力される光（つまり、光変調信号）を分岐する。その結果、光分岐回路１１４は、光変調器１１１から出力される光（つまり、光変調信号）を、光送信器１１の外部及びＯＥ変換部１１５の夫々に対して出力する。
【００２８】
ＯＥ変換部１１５は、光分岐回路１１４から出力される光（つまり、光変調信号）を電気信号に変換する。ＯＥ変換部１１５は、電気信号を、信号成分検出部１１６に対して出力する。尚、後述する信号成分検出部１１６において、光変調信号のビットレート（つまり、ＭＵＸ／プリコーダ１１３において多重化されたデータ信号のビットレート）に対応する周波数成分（ｆ０成分）が検出されることを考慮すれば、光変調信号から変換される電気信号にはｆ０成分が含まれていることが好ましい。従って、ＯＥ変換部１１５は、ｆ０成分を検出可能な帯域を有することが好ましい。具体的には、例えば、ＯＥ変換部１１５は、ｆ０成分を検出可能な帯域を有するフォトディテクタであることが好ましい。
【００２９】
信号成分検出部１１６は、光変調信号から変換された電気信号のうち、光変調信号のビットレート（つまり、ＭＵＸ／プリコーダ１１３において多重化されたデータ信号のビットレート）に対応する周波数成分（ｆ０成分）を検出する。このため、信号成分検出部１１６は、ｆ０成分に対応する狭帯域の周波数成分を透過する特性を有すると共に高いＱ値を有するバンドバスフィルタを含んでいてもよい。信号成分検出部１１６は、検出したｆ０成分を、強度検出部１１７に対して出力する。
【００３０】
尚、「ビットレートに対応する周波数成分（ｆ０成分）」とは、例えば、ビットレートと同一又は所定のマージンを考慮した上で実質的に同一視することができる周波数成分を示す。例えば、ビットレートが「Ｘ［ｂｐｓ］」である場合には、「ビットレートに対応する周波数成分」と、「Ｘ［Ｈｚ］」又は「Ｘ±α［Ｈｚ］」であってもよい。
【００３１】
強度検出部１１７は、ビットレートに対応するｆ０成分の信号強度（例えば、平均信号強度）を検出する。このため、強度検出部１１７は、ｆ０成分よりも十分に低い周波数成分を透過するローパスフィルターを含んでいてもよい。強度検出部１１７は、検出したｆ０成分の信号強度を、制御部１１８に対して出力する。
【００３２】
制御部１１８は、強度検出部１１７において検出されたｆ０成分の信号強度に基づいて、ドライバ出力信号のデューティー比を調整する。より具体的には、制御部１１８は、例えば、ｆ０成分の信号強度が最大となるように、ドライバ出力信号のデューティー比を調整する。尚、制御部１１８は、デューティー可変部１１２１の動作を制御することで、ドライバ出力信号のデューティー比を調整する。
【００３３】
（２−２）第１実施形態の光送信器の動作
図３を参照して、第１実施形態の光送信器１１の動作について説明する。図３は、第１実施形態の光送信器１１の動作の流れを示すフローチャートである。尚、以下では、第１実施形態の光送信器１１の動作のうちドライバ出力信号のデューティー比の調整動作に着目して説明を進める。
【００３４】
図３に示すように、光分岐回路１１４は、光変調器１１１から出力される光変調信号を分岐する（ステップＳ１１１）。光分岐回路１１４は、分岐された光変調信号を、ＯＥ変換部１１５に対して出力する。続いて、ＯＥ変換部１１５は、光変調信号を電気信号に変換する（ステップＳ１１２）。ＯＥ変換部１１５は、電気信号を、信号成分検出部１１６に対して出力する。
【００３５】
その後、信号成分検出部１１６は、電気信号のうち、光変調信号のビットレートに対応する周波数成分（ｆ０成分）を検出する（ステップＳ１１３）。信号成分検出部１１６は、検出したｆ０成分を、強度検出部１１７に対して出力する。続いて、強度検出部１１７は、ビットレートに対応するｆ０成分の信号強度を検出する（ステップＳ１１４）。強度検出部１１７は、検出したｆ０成分の信号強度を、制御部１１８に対して出力する。
【００３６】
その後、制御部１１８は、強度検出部１１７において検出されたｆ０成分の信号強度が最大となるように、ドライバ出力信号のデューティー比を調整する（ステップＳ１１５）。具体的には、例えば、制御部１１８は、デューティー比の調整前のｆ０成分の信号強度（つまり、強度検出部１１７において検出されたｆ０成分の信号強度）と比較してデューティー比の調整後のｆ０成分の信号強度が大きくなるように、ドライバ出力信号のデューティー比を調整する。
【００３７】
ここで、ビットレートに対応するｆ０成分の信号強度が最大となるようにドライバ出力信号のデューティー比を調整する技術的意義について、図４から図６を参照して説明する。図４から図６は、ドライバ出力信号のデューティー比を変えた場合の、ドライバ出力信号及び光変調信号、当該光変調信号の電気スペクトル、並びに当該光変調信号を復調した場合の復調信号の夫々の波形を示すグラフである。
【００３８】
図４には、ドライバ出力信号のデューティー比が１００％となる場合の、ドライバ出力信号の波形（ＬＮＤＲＶ波形４５Ｇｂｐｓ）、光変調信号の波形（ＤＰＳＫ光波形）、光変調信号の電気スペクトルの波形、復調信号の波形（正相光波形及び逆相光波形）を示す。尚、図４から図６は、光変調信号のビットレートが４５Ｇｂｐｓとなる場合の例を示すものとする。従って、ビットレートに対応するｆ０成分は、４５ＧＨｚの周波数成分となる。
【００３９】
一方で、図５には、ドライバ出力信号のデューティー比が１００％未満となる場合の、ドライバ出力信号の波形（ＬＮＤＲＶ波形４５Ｇｂｐｓ）、光変調信号の波形（ＤＰＳＫ光波形）、光変調信号の電気スペクトルの波形、復調信号の波形（正相光波形及び逆相光波形）を示す。尚、図５は、ドライバ出力信号のデューティー比が１００％未満となる場合の一例として、ドライバ出力信号のデューティー比が７０％となる場合及びドライバ出力信号のデューティー比が８５％となる場合を示す。図５に示すように、ドライバ出力信号のデューティー比が１００％未満となる場合には、ドライバ出力信号のデューティー比が１００％となる場合と比較して、光変調信号の波形が二重になってしまうと共に、ｆ０成分の信号強度が落ちてくる（低くなってくる）のが分かる。このような現象は、ドライバ出力信号のデューティー比が１００％となる場合と比較して、ＯＳＮＲ（Optical Signal to Noise Ratio）の悪化につながりかねない。
【００４０】
他方で、図６には、ドライバ出力信号のデューティー比が１００％を超える場合の、ドライバ出力信号の波形（ＬＮＤＲＶ波形４５Ｇｂｐｓ）、光変調信号の波形（ＤＰＳＫ光波形）、光変調信号の電気スペクトルの波形、復調信号の波形（正相光波形及び逆相光波形）を示す。尚、図５は、ドライバ出力信号のデューティー比が１００％を超える場合の一例として、ドライバ出力信号のデューティー比が１１５％となる場合及びドライバ出力信号のデューティー比が１３０％となる場合を示す。図５に示すように、ドライバ出力信号のデューティー比が１００％を超える場合には、ドライバ出力信号のデューティー比が１００％となる場合と比較して、光変調信号の波形が二重になってしまうと共に、ｆ０成分の信号強度が落ちてくる（低くなってくる）のが分かる。このような現象は、ドライバ出力信号のデューティー比が１００％となる場合と比較して、ＯＳＮＲの悪化につながりかねない。
【００４１】
このようなドライバ出力信号のデューティー比の変動とｆ０成分の信号強度と光変調信号の波形の二重化（つまり、ＯＳＮＲの悪化）との関係を考慮して、第１実施形態の光送信器１１は、ｆ０成分の信号強度が最大となるようにドライバ出力信号のデューティー比を制御する。従って、実質的には、ドライバ出力信号のデューティー比が１００％から大きく乖離することが殆ど又は全くなくなる。言い換えれば、実質的には、ドライバ出力信号のデューティー比を概ね１００％に維持することができる。従って、第１実施形態の光送信器１１によれば、光変調信号の品質の劣化（つまり、ＯＳＮＲの悪化）を抑制するようにドライバ出力信号を生成することができる。つまり、第１実施形態の光送信器１１によれば、光変調信号の品質の劣化（つまり、ＯＳＮＲの悪化）を抑制するように光変調器１１１を駆動することができる。
【００４２】
加えて、第１実施形態の光送信器１１によれば、光変調信号のｆ０成分を直接的に検出することに代えて、光変調信号を電気信号に変換した後に当該電気信号のｆ０成分を検出することができる。仮に光変調信号のｆ０成分を直接的に検出しようとすれば、ｆ０成分に対応する中心周波数が予め設定された光フィルタが用いられる。しかしながら、光源１１０から出力される光のキャリア周波数が変わり得ることを考慮すれば、光フィルタの中心周波数を予め設定することは困難である。しかるに、第１実施形態によれば、電気信号のｆ０成分を検出することができるため、上述した技術的な不都合は生じない。
【００４３】
尚、ドライバ出力信号のデューティー比を直接的に検出することは、技術的困難を伴う。しかるに、第１実施形態によれば、ドライバ出力信号のデューティー比を直接的に検出することに代えて、ｆ０成分の信号強度を検出することでドライバ出力信号のデューティー比を調整することができる。つまり、ドライバ出力信号のデューティー比と比較して検出しやすいｆ０成分の信号強度を検出することで、ドライバ出力信号のデューティー比を調整することができる。
【００４４】
尚、光変調器１１１は、変調器ドライバ１１２が出力するドライバ出力信号に代えて、所定のバイアス信号が重畳されたドライバ出力信号に基づいて、光源１１０から出力される光を変調してもよい。所定のバイアス信号は、不図示のバイアス電圧源からドライバ出力信号に対して重畳される、低周波の（つまり、ドライバ出力信号の周波数に対して低周波の）又は直流のバイアス信号であってもよい。但し、ドライバ出力信号に対してバイアス信号が重畳される場合であっても、デューティー可変部１１２１は、ｆ０成分の信号強度が最大となるようにドライバ出力信号そのもの（つまり、バイアス信号が重畳される前のドライバ出力信号）のデューティー比を制御することが好ましい。後述する各種変形例及び第２実施形態から第４実施形態（但し、それらの各種変形例を含む）においても同様である。
【００４５】
また、ドライバ出力信号のデューティー比に加えて又は代えて、ＭＵＸ／プリコーダ１１３が出力する高ビットレートのデータ信号又は変調信号のデューティー比が、同様の態様で制御されてもよい。この場合、デューティー可変部１１２１は、ＭＵＸ／プリコーダ１１３内に備えられていてもよい。後述する各種変形例及び第２実施形態から第４実施形態（但し、それらの各種変形例を含む）においても同様である。
【００４６】
（３）第１実施形態の光送信器の変形例
以下、図７から図９を参照して、第１実施形態の光送信器１１の各種変形例について説明する。
【００４７】
（３−１）第１実施形態の光送信器の第１変形例
図７を参照して、第１実施形態の光送信器１１の第１変形例について説明する。図７は、第１変形例の光送信器１１ａの構成を示すブロック図である。尚、上述した第１実施形態の光送信器１１と同様の構成については、同一の参照符号を付することで、それらの詳細な説明を省略する。
【００４８】
図７に示すように、第１変形例の光送信器１１ａは、第１実施形態の光送信器１１と同様に、光源１１０と、光変調器１１１と、光分岐回路１１４と、ＯＥ変換器１１５と、信号成分検出器１１６と、強度検出器１１７と、制御部１１８とを備えている。第１変形例の光送信器１１ａは、第１実施形態の光送信器１１と比較して、変調器ドライバ１１２ａ及びＭＵＸ／プリコーダ１１３ａが差動型であるという点で異なっている。
【００４９】
変調器ドライバ１１２ａは、ＭＵＸ／プリコーダ１１３ａから出力される変調信号（Ｐ）及び反転信号（Ｎ）に応じて、光変調器１１１を駆動させるための（つまり、光変調器１１１に対して光の変調を行わせるための）ドライバ出力信号（正相：Ｐ）及びドライバ出力信号（逆相：Ｎ）を生成する。
【００５０】
ＭＵＸ／プリコーダ１１３ａは、高ビットレートのデータ信号に応じた変調信号（Ｐ）及び反転信号（Ｎ）を生成する。例えば、ＭＵＸ／プリコーダ１１３は、高ビットレートのデータ信号を用いて、１ビット前の符号と現在の符号との差情報が反映された符号化処理を行うことで、データ信号に対応した変調信号（Ｐ）及び当該変調信号（Ｐ）を反転させた反転信号（Ｎ）を生成する。ＭＵＸ／プリコーダ１１３は、生成した変調信号（Ｐ）及び反転信号（Ｎ）を、変調器１１２ドライバに対して出力する。
【００５１】
このような構成を有する第１変形例の光送信器１１ａであっても、上述した第１実施形態の光送信器１１が享受する効果と同様の効果を好適に享受することができる。
【００５２】
（３−２）第１実施形態の光送信器の第２変形例
図８を参照して、第１実施形態の光送信器１１の第２変形例について説明する。図８は、第２変形例の光送信器１１ｂの構成を示すブロック図である。尚、上述した第１実施形態の光送信器１１又は第１変形例の光送信器１１ａと同様の構成については、同一の参照符号を付することで、それらの詳細な説明を省略する。
【００５３】
図８に示すように、第２変形例の光送信器１１ｂは、第１変形例の光送信器１１ａと同様に、光源１１０と、光変調器１１１と、差動型の変調器ドライバ１１２ａと、差動型のＭＵＸ／プリコーダ１１３ａと、光分岐回路１１４と、ＯＥ（Optical / Electronic）変換器１１５と、信号成分検出器１１６と、強度検出器１１７と、制御部１１８とを備えている。第２変形例の光送信器１１ｂは、第１変形例の光送信器１１ａと比較して、変調器ドライバ１１２ａの２つの出力端子のうちの一方が終端部１１２２ｂによって終端されているという点で異なっている。つまり、第２変形例の光送信器１１ｂでは、ドライバ出力信号（正相：Ｐ）及びドライバ出力信号（逆相：Ｎ）を出力するための変調器ドライバ１１２ａの２つの出力端子のうちの一方が、終端部１１２２ｂによって終端されている。
【００５４】
例えば、図８は、ドライバ出力信号（逆相：Ｎ）を出力するための変調器ドライバ１１２ａの出力端子が、終端部１１２２ｂによって終端されている例を示している。このため、図８に示す例では、光変調器１１１は、ドライバ出力信号（正相：Ｐ）に基づいて、光源１１０から出力される光を変調する。
【００５５】
但し、ドライバ出力信号（正相：Ｐ）を出力するための変調器ドライバ１１２ａの出力端子が、終端部１１２２ｂによって終端されていてもよい。この場合には、光変調器１１１は、ドライバ出力信号（逆相：Ｎ）に基づいて、光源１１０から出力される光を変調してもよい。
【００５６】
このような構成を有する第２変形例の光送信器１１ｂであっても、上述した第１実施形態の光送信器１１が享受する効果と同様の効果を好適に享受することができる。
【００５７】
（３−３）第１実施形態の光送信器の第３変形例
図９を参照して、第１実施形態の光送信器１１の第３変形例について説明する。図９は、第３変形例の光送信器１１ｃの構成を示すブロック図である。尚、上述した第１実施形態の光送信器１１並びに第１変形例の光送信器１１ａ及び第２変形例の光送信器１１ｂと同様の構成については、同一の参照符号を付することで、それらの詳細な説明を省略する。
【００５８】
図９に示すように、第３変形例の光送信器１１ｃは、第１実施形態の光送信器１１と同様に、光源１１０と、光変調器１１１と、変調器ドライバ１１２と、ＭＵＸ／プリコーダ１１３と、光分岐回路１１４と、ＯＥ変換器１１５と、信号成分検出器１１６と、強度検出器１１７と、制御部１１８とを備えている。第３変形例の光送信器１１ｃは、第１実施形態の光送信器１１と比較して、ＲＺ（Return to Zero）変調器１１９ｃを更に備えているという点で異なっている。尚、ＲＺ変調器１１９ｃは、光変調器１１１の一部として光変調器１１１内部に組み込まれていてもよい。
【００５９】
ＲＺ変調器１１９ｃは、光変調器１１１から出力される光（つまり、ＤＰＳＫ変調された光変調信号）に対して、ＲＺパルス化処理を施す。その結果、ＲＺ変調器１１９ｃは、ＲＺパルス化処理が施された光（つまり、ＲＺ−ＤＰＳＫ変調された光変調信号）を、光分岐回路１１４に対して出力する。
【００６０】
このような構成を有する第３変形例の光送信器１１ｃであっても、上述した第１実施形態の光送信器１１が享受する効果と同様の効果を好適に享受することができる。
【００６１】
（４）第２実施形態の光送信器
図１０から図１４を参照して、第２実施形態の光送信器１２について順に説明する。尚、上述した第１実施形態の光送信器１１（但し、その各種変形例を含む）と同様の構成及び動作については、同一の参照符号及びステップ番号を付することで、それらの詳細な説明を省略する。また、図１は、第１実施形態の光送信器１１を備える伝送システム１を示しているが、当該伝送システム１は、第１実施形態の光送信器１１に加えて又は代えて、第２実施形態の光送信器１２を備えていてもよい。
【００６２】
（４−１）第２実施形態の光送信器の構成
図１０を参照して、第２実施形態の光送信器１２の構成について説明する。図１０は、第２実施形態の光送信器１２の構成を示すブロック図である。
【００６３】
図１０に示すように、第２実施形態の光送信器１２は、第１実施形態の光送信器１１と同様に、光源１１０と、光変調器１１１と、変調器ドライバ１１２と、光分岐回路１１４と、ＯＥ変換器１１５と、信号成分検出器１１６と、強度検出器１１７と、制御部１１８とを備えている。第２実施形態の光送信器１２は、第１実施形態の光送信器１１と比較して、光変調器１１１が、光の変調方式として、ＮＲＺ（Non Return to Zero）変調方式（言い換えれば、ＯＯＫ（On Off Keying）変調方式）を採用しているという点で異なっている。加えて、第２実施形態の光送信器１２は、第１実施形態の光送信器１１と比較して、ＭＵＸ／プリコーダ１１３に代えて、ＭＵＸ１２３を備えているという点で異なっている。つまり、第２実施形態の光送信器１２は、第１実施形態の光送信器１１と比較して、プリコーダを備えていなくともよいという点で異なっている。
【００６４】
ＭＵＸ１２３は、光送信器１１の外部から供給される複数の低ビットレート（例えば、数百Ｍｂｐｓ）のデータ信号を多重化することで、高ビットレート（例えば、数十Ｇｂｐｓ）のデータ信号を生成する。ＭＵＸ／プリコーダ１１３は、生成したデータ信号を、変調信号として変調器１１２ドライバに対して出力する。
【００６５】
（４−２）第２実施形態の光送信器の動作
図１１を参照して、第２実施形態の光送信器１２の動作について説明する。図１１は、第２実施形態の光送信器１２の動作の流れを示すフローチャートである。尚、以下では、第２実施形態の光送信器１２の動作のうちドライバ出力信号のデューティー比の調整動作に着目して説明を進める。
【００６６】
図１１に示すように、第２実施形態の光送信器１２では、第１実施形態の光送信器１１と同様に、光分岐回路１１４による光変調信号の分岐（ステップＳ１１１）、ＯＥ変換部１１５による光変調信号の電気信号への変換（ステップＳ１１２）、信号成分検出部１１６によるｆ０成分の検出（ステップＳ１１３）及び強度検出部１１７によるｆ０成分の信号強度の検出（ステップＳ１１４）が行われる。
【００６７】
第２実施形態では、ステップＳ１１４の動作に続いて、制御部１１８は、強度検出部１１７において検出されたｆ０成分の信号強度が最小となるように、ドライバ出力信号のデューティー比を調整する（ステップＳ１２５）。具体的には、例えば、制御部１１８は、デューティー比の調整前のｆ０成分の信号強度（つまり、強度検出部１１７において検出されたｆ０成分の信号強度）と比較してデューティー比の調整後のｆ０成分の信号強度が小さくなるように、ドライバ出力信号のデューティー比を調整する。
【００６８】
ここで、光変調器１１１がＮＲＺ変調方式を採用する場合にビットレートに対応するｆ０成分の信号強度が最小となるようにドライバ出力信号のデューティー比を調整する技術的意義について、図１２から図１４を参照して説明する。図１２から図１４は、ドライバ出力信号のデューティー比を変えた場合の、ドライバ出力信号、光変調信号、並びに当該光変調信号の光スペクトル及び電気スペクトルの夫々の波形を示すグラフである。
【００６９】
図１２には、ドライバ出力信号のデューティー比が１００％となる場合の、ドライバ出力信号の波形（変調器ドライバ波形）、光変調信号の波形（光波形）、並びに光変調信号の光スペクトルの波形及び電気スペクトルの波形を示す。
【００７０】
一方で、図１３には、ドライバ出力信号のデューティー比が１００％未満となる場合の、ドライバ出力信号の波形（変調器ドライバ波形）、光変調信号の波形（光波形）、並びに光変調信号の光スペクトルの波形及び電気スペクトルの波形を示す。尚、図１３は、ドライバ出力信号のデューティー比が１００％未満となる場合の一例として、ドライバ出力信号のデューティー比が８０％となる場合及びドライバ出力信号のデューティー比が９０％となる場合を示す。図１３に示すように、ドライバ出力信号のデューティー比が１００％未満となる場合には、ドライバ出力信号のデューティー比が１００％となる場合と比較して、光変調信号の波形が歪むと共に、ｆ０成分の信号強度が大きくなる（高くなってくる）のが分かる。このような現象は、ドライバ出力信号のデューティー比が１００％となる場合と比較して、ＯＳＮＲの悪化につながりかねない。
【００７１】
他方で、図１４には、ドライバ出力信号のデューティー比が１００％を超える場合の、ドライバ出力信号の波形（変調器ドライバ波形）、光変調信号の波形（光波形）、並びに光変調信号の光スペクトルの波形及び電気スペクトルの波形を示す。尚、図１４は、ドライバ出力信号のデューティー比が１００％を超える場合の一例として、ドライバ出力信号のデューティー比が１１０％となる場合及びドライバ出力信号のデューティー比が１２０％となる場合を示す。図１４に示すように、ドライバ出力信号のデューティー比が１００％を超える場合には、ドライバ出力信号のデューティー比が１００％となる場合と比較して、光変調信号の波形が歪むと共に、ｆ０成分の信号強度が大きくなる（高くなってくる）のが分かる。このような現象は、ドライバ出力信号のデューティー比が１００％となる場合と比較して、ＯＳＮＲの悪化につながりかねない。
【００７２】
このようなドライバ出力信号のデューティー比の変動とｆ０成分の信号強度と光変調信号の波形の歪み（つまり、ＯＳＮＲの悪化）との関係を考慮して、第２実施形態の光送信器１２は、ｆ０成分の信号強度が最小となるようにドライバ出力信号のデューティー比を調整する。これにより、実質的には、ドライバ出力信号のデューティー比が１００％から大きく乖離することが殆ど又は全くなくなる。言い換えれば、実質的には、ドライバ出力信号のデューティー比を概ね１００％に維持することができる。従って、第２実施形態の光送信器１２によれば、光変調信号の品質の劣化（つまり、ＯＳＮＲの悪化）を抑制するように光変調器１１１を駆動することができる。つまり、第２実施形態の光送信器１２によれば、第１実施形態の光送信器１１が享受する効果と同様の効果を好適に享受することができる。
【００７３】
尚、図１３及び図１４に示すように、ドライバ出力信号のデューティー比が１００％以下となる又は１００％を超える場合には、ドライバ出力信号のデューティー比が１００％となる場合と比較して、ｆ０成分の信号強度のみならず、ｆ０成分の逓倍の周波数成分の信号強度が大きくなる（高くなってくる）のが分かる。従って、第２実施形態では、ｆ０成分の信号強度が最小となるようにデューティー比を調整することに加えて又は代えて、ｆ０成分の逓倍の周波数成分の信号強度が最小となるようにデューティー比を調整してもよい。
【００７４】
（５）光送信器の第３実施形態
図１５及び図１６を参照して、第３実施形態の光送信器１３について順に説明する。尚、上述した第１実施形態の光送信器１１（但し、その各種変形例を含む）又は第２実施形態の光送信器１２（但し、その各種変形例を含む）と同様の構成及び動作については、同一の参照符号及びステップ番号を付することで、それらの詳細な説明を省略する。また、図１は、第１実施形態の光送信器１１を備える伝送システム１を示しているが、当該伝送システム１は、第１実施形態の光送信器１１に加えて又は代えて、第３実施形態の光送信器１３を備えていてもよい。
【００７５】
（５−１）第３実施形態の光送信器の構成
図１５を参照して、第３実施形態の光送信器１３の構成について説明する。図１５は、第３実施形態の光送信器１３の構成を示すブロック図である。
【００７６】
図１５に示すように、第３実施形態の光送信器１３は、第１実施形態の光送信器１１と同様に、光源１１０と、光変調器１１１と、変調器ドライバ１１２と、ＭＵＸ／プリコーダ１１３と、強度検出器１１７と、制御部１１８とを備えている。第３実施形態の光送信器１３は、第１実施形態の光送信器１１と比較して、光分岐回路１１４と、ＯＥ変換器１１５と、信号成分検出器１１６とを備えていなくともよいという点で異なっている。従って、第３実施形態の光送信器１３では、光変調器１１１から出力される光（つまり、光変調信号）は、分岐されることなく、光送信器１１の外部に対して出力されてもよい。
【００７７】
加えて、第３実施形態の光送信器１３は、第１実施形態の光送信器１１と比較して、分岐回路１３１を新たに備えているという点で異なっている。分岐回路１３１は、変調器ドライバ１１２から出力されるドライバ出力信号を分岐する。つまり、分岐回路１３１は、変調器ドライバ１１２から出力されるドライバ出力信号を、光変調器１１１及び強度検出部１１７の夫々に対して出力する。
【００７８】
尚、ドライバ出力信号に対してバイアス信号が重畳される場合には、分岐回路１３１は、ドライバ出力信号そのもの（つまり、バイアス信号が重畳される前のドライバ出力信号）を分岐することが好ましい。
【００７９】
強度検出部１１７は、ドライバ出力信号の信号強度（例えば、平均信号強度）を検出する。強度検出部１１７は、検出したドライバ出力信号の信号強度を、制御部１１８に対して出力する。制御部１１８は、強度検出部１１７において検出されたドライバ出力信号の信号強度に基づいて、ドライバ出力信号のデューティー比を調整する。より具体的には、制御部１１８は、例えば、ドライバ出力信号の信号強度が所望値と同一になるように、ドライバ出力信号のデューティー比を調整する。
【００８０】
（５−２）第３実施形態の光送信器の動作
図１６を参照して、第３実施形態の光送信器１３の動作について説明する。図１６は、第３実施形態の光送信器１３の動作の流れを示すフローチャートである。尚、以下では、第３実施形態の光送信器１３の動作のうちドライバ出力信号のデューティー比の調整動作に着目して説明を進める。
【００８１】
図１６に示すように、分岐回路１３１は、変調器ドライバ１１２から出力されるドライバ出力信号を分岐する（ステップＳ１３１）。分岐回路１３１は、分岐されたドライバ出力信号を、強度検出部１１７に対して出力する。
【００８２】
その後、強度検出部１１７は、ドライバ出力信号の信号強度を検出する（ステップＳ１３２）。強度検出部１１７は、検出したドライバ出力信号の信号強度を、制御部１１８に対して出力する。
【００８３】
その後、制御部１１８は、強度検出部１１７において検出されたドライバ出力の信号強度が所望値と同一になるように、ドライバ出力信号のデューティー比を調整する（ステップＳ１３３）。ここで、「所望値」には、例えば、デューティー比が１００％となるときのドライバ出力信号の信号強度（例えば、平均信号強度）の値が予め設定されることが好ましい。従って、制御部１１８は、制御部１１８の内部又は外部に備える不図示のメモリ等に、デューティー比が１００％となるときのドライバ出力信号の信号強度の値を予め格納しておくことが好ましい。
【００８４】
その結果、第３実施形態の光送信器１３は、強度検出部１１７において検出されたドライバ出力の信号強度が、例えばデューティー比が１００％となるときのドライバ出力信号の信号強度と同一になるように、ドライバ出力信号のデューティー比を調整する。従って、実質的には、ドライバ出力信号のデューティー比が１００％から大きく乖離することが殆ど又は全くなくなる。言い換えれば、実質的には、ドライバ出力信号のデューティー比を概ね１００％に維持することができる。従って、第３実施形態の光送信器１３によれば、光変調信号の品質の劣化（つまり、ＯＳＮＲの悪化）を抑制するように光変調器１１１を駆動することができる。つまり、第３実施形態の光送信器１３によれば、第１実施形態の光送信器１１が享受する効果と同様の効果を好適に享受することができる。
【００８５】
尚、強度検出部１１７は、ドライバ出力信号の信号強度を検出することに加えて又は代えて、ＭＵＸ／プリコーダ１１３が出力する高ビットレートのデータ信号又は変調信号の信号強度を検出してもよい。この場合、デューティー可変部１１２１は、高ビットレートのデータ信号又は変調信号の信号強度が、例えばデューティー比が１００％となるときのデータ信号又は変調信号の信号強度と同一になるように、データ信号、変調信号又はドライバ出力信号のデューティー比を調整してもよい。後述する第３実施形態の変形例においても同様である。
【００８６】
（６）第３実施形態の光送信器の変形例
図１７から図２１を参照して、第３実施形態の光送信器１３の各種変形例について説明する。
【００８７】
（６−１）第３実施形態の光送信器の第１変形例
図１７を参照して、第３実施形態の光送信器１３の第１変形例について説明する。図１７は、第１変形例の光送信器１３ａの構成を示すブロック図である。
【００８８】
図１７に示すように、第１変形例の光送信器１３ａは、第３実施形態の光送信器１３と同様に、光源１１０と、光変調器１１１と、強度検出器１１７と、制御部１１８と、分岐回路１３１とを備えている。第１変形例の光送信器１３ａは、第３実施形態の光送信器１３と比較して、変調器ドライバ１１２ａ及びＭＵＸ／プリコーダ１１３ａが差動型であるという点で異なっている。
【００８９】
分岐回路１３１は、変調器ドライバ１１２ａが出力するドライバ出力信号（正相：Ｐ）及びドライバ出力信号（逆相：Ｎ）の一方を分岐すると共に、強度検出部１１７に対して出力する。例えば、図１７は、分岐回路１３１が、変調器ドライバ１１２ａが出力するドライバ出力信号（逆相：Ｎ）を分岐すると共に、強度検出部１１７に対して出力する例を示している。
【００９０】
このような構成を有する第１変形例の光送信器１３ａであっても、上述した第３実施形態の光送信器１３が享受する効果と同様の効果を好適に享受することができる。
【００９１】
（６−２）第３実施形態の光送信器の第２変形例
図１８を参照して、第３実施形態の光送信器１３の第２変形例について説明する。図１８は、第２変形例の光送信器１３ｂの構成を示すブロック図である。
【００９２】
図１８に示すように、第２変形例の光送信器１３ｂは、第１変形例の光送信器１３ａと同様に、光源１１０と、光変調器１１１と、差動型の変調器ドライバ１１２ａと、差動型のＭＵＸ／プリコーダ１１３ａと、制御部１１８とを備えている。第２変形例の光送信器１３ｂは、第１変形例の光送信器１３ａと比較して、分岐回路１３１及び強度検出部１１７を２つずつ備えているという点で異なっている。
【００９３】
具体的には、第２変形例の光送信器１３ｂは、変調器ドライバ１１２ａが出力するドライバ出力信号（正相：Ｐ）を分岐する分岐回路１３１ｂ（Ｐ）と、変調器ドライバ１１２ａが出力するドライバ出力信号（逆相：Ｎ）を分岐する分岐回路１３１ｂ（Ｎ）とを備えている。加えて、第２変形例の光送信器１３ｂは、分岐回路１３１ｂ（Ｐ）において分岐されたドライバ出力信号（正相：Ｐ）の信号強度を検出する強度検出部１１７ｂ（Ｐ）と、分岐回路１３１ｂ（Ｎ）において分岐されたドライバ出力信号（逆相：Ｎ）の信号強度を検出する強度検出部１１７ｂ（Ｎ）とを備えている。
【００９４】
制御部１１８は、強度検出部１１７ｂ（Ｐ）において検出されたドライバ出力信号（正相：Ｐ）の信号強度及び強度検出部１１７ｂ（Ｎ）において検出されたドライバ出力信号（逆相：Ｎ）の信号強度のいずれか一方又は双方に基づいて、ドライバ出力信号のデューティー比を調整する。
【００９５】
このような構成を有する第２変形例の光送信器１３ｂであっても、上述した第３実施形態の光送信器１３が享受する効果と同様の効果を好適に享受することができる。
【００９６】
加えて、第２変形例の光送信器１３ｂによれば、ドライバ出力信号（正相：Ｐ）及びドライバ出力信号（逆相：Ｎ）の一方の信号品質が悪化した場合であっても、ドライバ出力信号（正相：Ｐ）及びドライバ出力信号（逆相：Ｎ）の他方を用いてドライバ出力信号のデューティー比を調整することができる。つまり、ドライバ出力信号のデューティー比の調整するために参照されるドライバ出力信号の冗長性を確保することができる。このため、ドライバ出力信号のデューティー比の調整動作の信頼性を相対的に高めることができる。
【００９７】
（６−３）第３実施形態の光送信器の第３変形例
図１９を参照して、第３実施形態の光送信器１３の第３変形例について説明する。図１９は、第３変形例の光送信器１３ｃの構成を示すブロック図である。
【００９８】
図１９に示すように、第３変形例の光送信器１３ｃは、第１変形例の光送信器１３ａと同様に、光源１１０と、光変調器１１１と、差動型の変調器ドライバ１１２ａと、差動型のＭＵＸ／プリコーダ１１３ａと、強度検出部１１７と、制御部１１８とを備えている。第３変形例の光送信器１３ｃは、第１変形例の光送信器１３ａと比較して、分岐回路１３１を備えていなくともよいという点で異なっている。
【００９９】
具体的には、第３変形例の光送信器１３ｃでは、変調器ドライバ１１２ａが出力するドライバ出力信号（正相：Ｐ）及びドライバ出力信号（逆相：Ｎ）の一方は、光変調器１１１に対して出力される。一方で、第３変形例の光送信器１３ｃでは、変調器ドライバ１１２ａが出力するドライバ出力信号（正相：Ｐ）及びドライバ出力信号（逆相：Ｎ）の他方は、強度検出器１１７に対して出力される。言い換えれば、第３変形例の光送信器１３ｃでは、変調器ドライバ１１２ａが出力するドライバ出力信号（正相：Ｐ）及びドライバ出力信号（逆相：Ｎ）の他方は、光変調器１１１に対して出力されなくともよい。つまり、第３変形例の光送信器１３ｃでは、変調器ドライバ１１２ａが出力するドライバ出力信号（正相：Ｐ）及びドライバ出力信号（逆相：Ｎ）の他方は、強度検出部１１７における信号強度の検出ための専用の信号として用いられる。
【０１００】
このような構成を有する第３変形例の光送信器１３ｃであっても、上述した第３実施形態の光送信器１３が享受する効果と同様の効果を好適に享受することができる。
【０１０１】
加えて、第３変形例の光送信器１３ｃによれば、相対的に高周波な（例えば、数十ＧＨｚの）ドライバ出力信号を、分岐回路１３１において分岐しなくともよくなる。従って、相対的に高周波な（例えば、数十ＧＨｚの）ドライバ出力信号の分岐に伴う信号損の発生をなくすことができる。従って、光変調器１１１は、信号損が発生しているドライバ出力信号に基づいて光を変調しなくともよくなる。このため、光変調器１１１は、より好適に光を変調することができる。
【０１０２】
（６−４）第３実施形態の光送信器の第４変形例
図２０を参照して、第３実施形態の光送信器１３の第４変形例について説明する。図２０は、第４変形例の光送信器１３ｄの構成を示すブロック図である。
【０１０３】
図２０に示すように、第４変形例の光送信器１３ｄは、第１変形例の光送信器１３ａと同様に、光源１１０と、光変調器１１１と、差動型の変調器ドライバ１１２ａと、差動型のＭＵＸ／プリコーダ１１３ａと、強度検出部１１７と、制御部１１８と、分岐回路１３１とを備えている。第４変形例の光送信器１３ｄは、第１変形例の光送信器１３ａと比較して、変調器ドライバ１１２ａの２つの出力端子のうちの一方が終端部１１２２ｂによって終端されているという点で異なっている。つまり、第２変形例の光送信器１１ｂでは、ドライバ出力信号（正相：Ｐ）及びドライバ出力信号（逆相：Ｎ）を出力するための変調器ドライバ１１２ａの２つの出力端子のうちの一方が、終端部１１２２ｂによって終端されている。
【０１０４】
例えば、図２０は、ドライバ出力信号（逆相：Ｎ）を出力するための変調器ドライバ１１２ａの出力端子が、終端部１１２２ｂによって終端されている例を示している。このため、図２０に示す例では、分岐回路１３１はドライバ出力信号（正相：Ｐ）を分岐すると共に、光変調器１１１はドライバ出力信号（正相：Ｐ）に基づいて光を変調する。
【０１０５】
但し、ドライバ出力信号（正相：Ｐ）を出力するための変調器ドライバ１１２ａの出力端子が、終端部１１２２ｂによって終端されていてもよい。この場合には、分岐回路１３１はドライバ出力信号（逆相：Ｎ）を分岐すると共に、光変調器１１１はドライバ出力信号（逆相：Ｎ）に基づいて光を変調してもよい。
【０１０６】
このような構成を有する第４変形例の光送信器１３ｄであっても、上述した第３実施形態の光送信器１３が享受する効果と同様の効果を好適に享受することができる。
【０１０７】
（６−５）第３実施形態の光送信器の第５変形例
図２１を参照して、第３実施形態の光送信器１３の第５変形例について説明する。図２１は、第５変形例の光送信器１３ｅの構成を示すブロック図である。
【０１０８】
図２１に示すように、第５変形例の光送信器１３ｅは、第１変形例の光送信器１３ａと同様に、光源１１０と、光変調器１１１と、差動型の変調器ドライバ１１２ａと、差動型のＭＵＸ／プリコーダ１１３ａと、強度検出部１１７と、制御部１１８と、分岐回路１３１とを備えている。第５変形例の光送信器１３ｅは、第１変形例の光送信器１３ａと比較して、強度検出部１１７を２つ備えているという点で異なっている。加えて、第５変形例の光送信器１３ｅは、第１変形例の光送信器１３ａと比較して、ドライバ出力信号（正相：Ｐ）及びドライバ出力信号（逆相：Ｎ）の一方が光変調器１１１に出力され、且つ、ドライバ出力信号（正相：Ｐ）及びドライバ出力信号（逆相：Ｎ）の他方が光変調器１１１に出力されなくともよいという点で異なっている。
【０１０９】
具体的には、第２変形例の光送信器１３ｂは、分岐回路１３１において分岐されたドライバ出力信号（正相：Ｐ）の信号強度を検出する強度検出部１１７ｅ（Ｐ）と、変調器ドライバ１１２ａから出力されるドライバ出力信号（逆相：Ｎ）の信号強度を検出する強度検出部１１７ｅ（Ｎ）とを備えている。尚、変調器ドライバ１１２ａから強度検出部１１７ｅ（Ｎ）に対して出力されるドライバ出力信号（逆相：Ｎ）は、光変調器１１１に対して出力されなくともよい。
【０１１０】
制御部１１８は、強度検出部１１７ｅ（Ｐ）において検出されたドライバ出力信号（正相：Ｐ）の信号強度及び強度検出部１１７ｅ（Ｎ）において検出されたドライバ出力信号（逆相：Ｎ）の信号強度のいずれか一方又は双方に基づいて、ドライバ出力信号のデューティー比を調整する。
【０１１１】
このような構成を有する第５変形例の光送信器１３ｅであっても、上述した第３実施形態の光送信器１３が享受する効果と同様の効果を好適に享受することができる。
【０１１２】
加えて、第５変形例の光送信器１３ｅによれば、ドライバ出力信号（正相：Ｐ）及びドライバ出力信号（逆相：Ｎ）の一方の信号品質が悪化した場合であっても、ドライバ出力信号（正相：Ｐ）及びドライバ出力信号（逆相：Ｎ）の他方を用いてドライバ出力信号のデューティー比を調整することができる。つまり、ドライバ出力信号のデューティー比の調整するために参照されるドライバ出力信号の冗長性を確保することができる。このため、ドライバ出力信号のデューティー比の調整動作の信頼性を相対的に高めることができる。
【０１１３】
（７）光送信器の第４実施形態
図２２から図２６を参照して、第４実施形態の光送信器１４について順に説明する。尚、上述した第１実施形態の光送信器１１（但し、その各種変形例を含む）、第２実施形態の光送信器１２（但し、その各種変形例を含む）又は第３実施形態の光送信器１３（但し、その各種変形例を含む）と同様の構成及び動作については、同一の参照符号及びステップ番号を付することで、それらの詳細な説明を省略する。また、図１は、第１実施形態の光送信器１１を備える伝送システム１を示しているが、当該伝送システム１は、第１実施形態の光送信器１１に加えて又は代えて、第４実施形態の光送信器１４を備えていてもよい。
【０１１４】
（７−１）第４実施形態の光送信器の構成
図２２を参照して、第４実施形態の光送信器１４の構成について説明する。図２２は、第４実施形態の光送信器１４の構成を示すブロック図である。
【０１１５】
図２２に示すように、第４実施形態の光送信器１４は、第１実施形態の光送信器１１と同様に、光源１１０と、光変調器１１１と、変調器ドライバ１１２と、ＭＵＸ／プリコーダ１１３と、光分岐回路１１４と、ＯＥ変換部１１５と、制御部１１８とを備えている。第４実施形態の光送信器１４は、第１実施形態の光送信器１１と比較して、信号成分検出器１１６と、強度検出器１１７とを備えていなくともよいという点で異なっている。
【０１１６】
第４実施形態の光送信器１４では、ＯＥ変換部１１５は、光変調信号の信号強度（例えば、平均光パワー）を検出する。ＯＥ変換部１１５は、検出した光変調信号の信号強度を、制御部１１８に対して出力する。
【０１１７】
第４実施形態の光送信器１４では、制御部１１８は、ＯＥ変換部１１５において検出された光変調信号の信号強度に基づいて、ドライバ出力信号のデューティー比を調整する。より具体的には、制御部１１８は、例えば、光変調信号の信号強度が最大となるように、ドライバ出力信号のデューティー比を調整する。
【０１１８】
（７−２）第４実施形態の光送信器の動作
図２３を参照して、第４実施形態の光送信器１４の動作について説明する。図２３は、第４実施形態の光送信器１４の動作の流れを示すフローチャートである。尚、以下では、第４実施形態の光送信器１４の動作のうちドライバ出力信号のデューティー比の調整動作に着目して説明を進める。
【０１１９】
図２３に示すように、光分岐回路１１４は、光変調器１１１から出力される光変調信号を分岐する（ステップＳ１１１）。光分岐回路１１４は、分岐された光変調信号を、ＯＥ変換部１１５に対して出力する。
【０１２０】
その後、ＯＥ変換部１１５は、光変調信号の信号強度（例えば、平均光パワー）を検出する（ステップＳ１４１）。ＯＥ変換部１１５は、検出した光変調信号の信号強度を、制御部１１８に対して出力する。
【０１２１】
その後、制御部１１８は、ＯＥ変換部１１５において検出された光変調信号の信号強度が最大となるように、ドライバ出力信号のデューティー比を調整する（ステップＳ１４２）。具体的には、例えば、制御部１１８は、デューティー比の調整前の光変調信号の信号強度（つまり、ＯＥ変換部１１５において検出された光変調信号の信号強度）と比較してデューティー比の調整後の光変調信号の信号強度が大きくなるように、ドライバ出力信号のデューティー比を調整する。
【０１２２】
ここで、光変調信号の信号強度が最大となるようにドライバ出力信号のデューティー比を調整する技術的意義について、図２４から図２６を参照して説明する。図２４から図２６は、ドライバ出力信号のデューティー比を変えた場合の、ドライバ出力信号及び光変調信号の夫々の波形を示すグラフである。
【０１２３】
図２４には、ドライバ出力信号のデューティー比が１００％となる場合の、ドライバ出力信号の波形（ＬＮＤＲＶ波形４５Ｇｂｐｓ）及び光変調信号の波形（ＤＰＳＫ光波形）を示す。
【０１２４】
一方で、図２５には、ドライバ出力信号のデューティー比が１００％未満となる場合の、ドライバ出力信号の波形（ＬＮＤＲＶ波形４５Ｇｂｐｓ）及び光変調信号の波形（ＤＰＳＫ光波形）を示す。尚、図２５は、ドライバ出力信号のデューティー比が１００％未満となる場合の一例として、ドライバ出力信号のデューティー比が７０％となる場合及びドライバ出力信号のデューティー比が８５％となる場合の例を示す。図２５に示すように、ドライバ出力信号のデューティー比が１００％未満となる場合には、ドライバ出力信号のデューティー比が１００％となる場合と比較して、ドライバ出力信号及び光変調信号の夫々のハイレベル側（図２５中上側）への信号レベルの張り付きの度合いが弱くなる。ハイレベル側（図２５中上側）への信号レベルの張り付きの度合いが弱くなることは、光変調信号の信号強度（例えば、平均光パワー）の低下につながる。このような現象は、ドライバ出力信号のデューティー比が１００％となる場合と比較して、ＯＳＮＲの悪化につながりかねない。
【０１２５】
他方で、図２６には、ドライバ出力信号のデューティー比が１００％を超える場合の、ドライバ出力信号の波形（ＬＮＤＲＶ波形４５Ｇｂｐｓ）及び光変調信号の波形（ＤＰＳＫ光波形）を示す。尚、図２６は、ドライバ出力信号のデューティー比が１００％を超える場合の一例として、ドライバ出力信号のデューティー比が１１５％となる場合及びドライバ出力信号のデューティー比が１３０％となる場合の例を示す。図２６に示すように、ドライバ出力信号のデューティー比が１００％を超える場合には、ドライバ出力信号のデューティー比が１００％となる場合と比較して、ドライバ出力信号及び光変調信号の夫々のハイレベル側（図２６中上側）への信号レベルの張り付きの度合いが弱くなる。ハイレベル側（図２６中上側）への信号レベルの張り付きの度合いが弱くなることは、光変調信号の信号強度（例えば、平均光パワー）の低下につながる。このような現象は、ドライバ出力信号のデューティー比が１００％となる場合と比較して、ＯＳＮＲの悪化につながりかねない。
【０１２６】
このようなドライバ出力信号のデューティー比の変動と光変調信号及びドライバ出力信号の信号強度の変動（つまり、ＯＳＮＲの悪化）との関係を考慮して、第４実施形態の光送信器１４は、光変調信号の信号強度が最大となるようにドライバ出力信号のデューティー比を調整する。これにより、実質的には、ドライバ出力信号のデューティー比が１００％から大きく乖離することが殆ど又は全くなくなる。言い換えれば、実質的には、ドライバ出力信号のデューティー比を概ね１００％に維持することができる。従って、第４実施形態の光送信器１４によれば、光変調信号の品質の劣化（つまり、ＯＳＮＲの悪化）を抑制するように光変調器１１１を駆動することができる。つまり、第４実施形態の光送信器１４によれば、第１実施形態の光送信器１１が享受する効果と同様の効果を好適に享受することができる。
【０１２７】
（８）第４実施形態の光送信器の変形例
図２７を参照して、第４実施形態の光送信器１４の変形例について説明する。図２７は、変形例の光送信器１４ａの構成を示すブロック図である。
【０１２８】
図２７に示すように、変形例の光送信器１４ａは、第４実施形態の光送信器１４と同様に、光源１１０と、光変調器１１１ａと、変調器ドライバ１１２と、ＭＵＸ／プリコーダ１１３と、光分岐回路１１４と、ＯＥ変換部１１５と、制御部１１８とを備えている。変形例の光送信器１４ａは、第４実施形態の光送信器１４と比較して、光分岐回路１１４及びＯＥ変換部１１５が、光変調器１１１ａの内部に配置されるという点で異なっている。
【０１２９】
このような構成を有する変形例の光送信器１４ａであっても、上述した第４実施形態の光送信器１４が享受する効果と同様の効果を好適に享受することができる。
【０１３０】
尚、上述の説明では、光変調信号のｆ０成分（つまり、光変調信号から変換された電気信号のｆ０成分）の信号強度、ドライバ出力信号の信号強度又は光変調信号の信号強度に基づいて、ドライバ出力信号のデューティー比を調整する例について説明している。しかしながら、光変調信号やドライバ出力信号のその他の任意のパラメータ（例えば、位相や周波数等に関連する各種パラメータ）に基づいて、ドライバ出力信号のデューティー比を調整してもよい。
【０１３１】
また、上述の説明では、ドライバ出力信号のデューティー比を調整する例について説明している。しかしながら、ドライバ出力信号の信号波形を規定する任意のパラメータ（例えば、ピークパルスやボトムパルス等や、パルス幅や、位相や、周波数等）を調整してもよい。
【０１３２】
また、上述した第１実施形態の光送信器１１（但し、その各種変形例を含む）、上述した第２実施形態の光送信器１２（但し、その各種変形例を含む）、上述した第３実施形態の光送信器１３（但し、その各種変形例を含む）及び上述した第４実施形態の光送信器１４（但し、その各種変形例を含む）が採用している各種構成を適宜組み合わせてもよい。
【０１３３】
以上説明した実施形態に関して、更に以下の付記を開示する。
【０１３４】
（付記１）
光源が発する光をデータに応じて変調することで光変調信号を出力する光変調器と、
前記データを前記光変調器に対して出力する駆動部と、
前記光変調器から出力される前記光変調信号及び前記駆動部から出力される前記データの少なくとも一方の信号強度を検出する検出部と、
前記検出部における検出結果に基づいて、前記データの信号パラメータを調整する調整部と
を備えることを特徴とする光送信器。
【０１３５】
（付記２）
前記検出部は、前記光変調信号のうち当該光送信器が実現するビットレートに対応する周波数成分の信号強度を検出することを特徴とする付記１に記載の光送信器。
【０１３６】
（付記３）
前記検出部は、前記光変調信号を電気信号に変換した後に、当該電気信号のうち当該光送信器が実現するビットレートに対応する周波数成分の信号強度を検出することを特徴とする付記２に記載の光送信器。
【０１３７】
（付記４）
前記調整部は、前記信号強度が最大となるように、前記データの前記信号パラメータを調整することを特徴とする付記２又は３に記載の光送信器。
【０１３８】
（付記５）
前記光変調器は、ＤＰＳＫ（Differential Phase Shift Keying）変調方式を用いて、前記光を変調することを特徴とする付記４に記載の光送信器。
【０１３９】
（付記６）
前記調整部は、前記信号強度が最小となるように、前記データの前記信号パラメータを調整することを特徴とする付記２又は３に記載の光送信器。
【０１４０】
（付記７）
前記光変調器は、ＮＲＺ（Non Return to Zero）変調方式を用いて、前記光を変調することを特徴とする付記６に記載の光送信器。
【０１４１】
（付記８）
前記検出部は、前記データの信号強度を検出し、
前記調整部は、前記信号強度が所定値となるように前記データの前記信号パラメータを調整し、
前記所定値は、信号強度が所定閾値以上となる前記データの信号成分と信号強度が前記所定閾値未満となる前記データの信号成分との比率であるデューティー比が１００％となる場合の前記データの平均強度であることを特徴とする付記１に記載の光送信器。
【０１４２】
（付記９）
前記検出部は、前記データの信号強度を検出し、
前記調整部は、前記信号強度が所定値となるように前記データの前記信号パラメータを調整し、
前記駆動部は、差動信号に基づいて差動型の前記データを生成する差動型の駆動器を含んでおり、
前記駆動部は、前記差動型のデータのうちの一方を前記光変調器に対して出力し、且つ、前記差動型のデータのうちの他方を前記検出部に対して出力することを特徴とする付記１に記載の光送信器。
【０１４３】
（付記１０）
前記検出部は、前記光変調信号の信号強度を検出し、
前記調整器は、前記信号強度が最大となるように、前記データの前記信号パラメータを調整することを特徴とする付記１に記載の光送信器。
【０１４４】
（付記１１）
前記信号パラメータは、信号強度が所定閾値以上となる前記データの信号成分と信号強度が前記所定閾値未満となる前記データの信号成分との比率であるデューティー比を含むことを特徴とする付記１から１０のいずれか一項に記載の光送信器。
【０１４５】
（付記１２）
付記１から１１のいずれか一項に記載の光送信器から出力される前記光信号を、光伝送路を介して対向装置に向けて伝送することを特徴とする光伝送装置。
【０１４６】
（付記１３）
光源が発する光をデータに応じて変調することで光変調信号を出力する光変調器と、
前記データを前記光変調器に対して出力する駆動部と
を備える光送信器の制御方法であって、
前記光変調器から出力される前記光変調信号及び前記駆動部から出力される前記データの少なくとも一方を検出する検出工程と、
前記検出工程における検出結果に基づいて、前記データの信号パラメータを調整する調整工程と
を備えることを特徴とする制御方法。
【０１４７】
本発明は、上述した実施形態に限られるものではなく、請求の範囲及び明細書全体から読み取れる発明の要旨或いは思想に反しない範囲で適宜変更可能であり、そのような変更を伴なう光送信器及び光伝送装置、並びに光送信器の制御方法もまた本発明の技術的範囲に含まれるものである。
【符号の説明】
【０１４８】
１  光伝送システム
１０  光伝送装置
１１、１２、１３、１４  光送信器
１１０  光源
１１１  光変調器
１１２  変調器ドライバ
１１２１  デューティー可変部
１１２２  終端部
１１３  ＭＵＸ／プリコーダ
１１４  光分岐回路
１１５  ＯＥ変換部
１１６  信号成分検出部
１１７  強度検出部１１７
１１８  制御部
１１９  ＲＺ変調器
１３１  分岐回路
【図１】
2012080322.tif 000003
【図２】
2012080322.tif 000004
【図３】
2012080322.tif 000005
【図４】
2012080322.tif 000006
【図５】
2012080322.tif 000007
【図６】
2012080322.tif 000008
【図７】
2012080322.tif 000009
【図８】
2012080322.tif 000010
【図９】
2012080322.tif 000011
【図１０】
2012080322.tif 000012
【図１１】
2012080322.tif 000013
【図１２】
2012080322.tif 000014
【図１３】
2012080322.tif 000015
【図１４】
2012080322.tif 000016
【図１５】
2012080322.tif 000017
【図１６】
2012080322.tif 000018
【図１７】
2012080322.tif 000019
【図１８】
2012080322.tif 000020
【図１９】
2012080322.tif 000021
【図２０】
2012080322.tif 000022
【図２１】
2012080322.tif 000023
【図２２】
2012080322.tif 000024
【図２３】
2012080322.tif 000025
【図２４】
2012080322.tif 000026
【図２５】
2012080322.tif 000027
【図２６】
2012080322.tif 000028
【図２７】
2012080322.tif 000029